(57)【特許請求の範囲】
【請求項１】
吊り下げ用のフック部と、このフック部から下方へ延出して設けられたネック部と、このネック部の下部に設けられたホルダー部とを有しており、
前記ホルダー部にはペット用遊具が備える把持棒の基部を着脱自在な状態としつつ嵌合
可能とする差込孔が形成され、
前記差込孔は前記ホルダー部を表裏貫通する方向で形成されている
ことを特徴とするペット用遊具の保持具。
【請求項２】
前記ホルダー部は前記フック部の厚さよりも分厚く形成されており、当該ホルダー部の表裏を貫通して差込孔が形成されていることを特徴とする請求項１記載のペット用遊具の保持具。
【請求項３】
前記フック部は、吊り下げの相手側とする相手側部材を取り巻くように囲み形成される枠体に対して前記相手側部材へ抜き差しするフック口が周方向の１／４周以下の開放幅で形成されており、
前記フック部のフック口に正対する位置に前記ホルダー部が配置されており、
前記ネック部は、前記フック部におけるフック口の片隅を起点として、当該フック口の幅中心と前記ホルダー部における差込孔の中心とを結んだ仮想線から外側へ偏心してホルダー部へ連結されている
ことを特徴とする請求項１又は請求項２記載のペット用遊具の保持具。
【発明の詳細な説明】
【技術分野】
【０００１】
本発明は、ペット用遊具の保持具に関するものである。
【背景技術】
【０００２】
猫などのペットに対し、ストレス発散や運動不足解消、飼い主等とのスキンシップ向上などを図るため、ペットがじゃれる小物を紐の先に取り付け、この紐を棒の先端に結び止めたペット用遊具は公知である（例えば、特許文献１等参照）。
この種のペット用遊具は、飼い主等が棒を振って紐を揺らし、紐の先の小物が走り回っているかのように見せたり、飼い主等の方を目がけて小物が走り寄ってくるかのように見せかけたりして、ペットの興味を引きつける使い方をする。
【先行技術文献】
【特許文献】
【０００３】
【特許文献１】実開昭６１−１５８１５３号公報
【発明の概要】
【発明が解決しようとする課題】
【０００４】
従来公知のペット用遊具では、言うまでもなく、飼い主等が棒を振ってやらないことには、ペットがじゃれることがないので、飼い主等が付き添ったままで遊んでやる必要があった。また飼い主等は、比較的短時間のうちに、棒を振っていることに疲れたり飽きたりすることから、ペットとのじゃれつきも長続きしないということがあった。
本発明は、上記事情に鑑みてなされたものであって、わざわざ飼い主等が付き添ったままとしなくても、ペット用遊具を有効に活用してペットのストレス発散や運動不足解消などを行えるものとし、また長続きさせることができるようにしたペット用遊具の保持具を提供することを目的とする。
【課題を解決するための手段】
【０００５】
前記目的を達成するために、本発明は次の手段を講じた。
即ち、本考案に係るペット用遊具の保持具は、吊り下げ用のフック部と、このフック部から下方へ延出して設けられたネック部と、このネック部の下部に設けられたホルダー部とを有しており、前記ホルダー部にはペット用遊具が備える把持棒の基部を着脱自在な状態としつつ嵌合可能とする差込孔が形成され、前記差込孔は前記ホルダー部を表裏貫通する方向で形成されていることを特徴とする。
【０００６】
前記ホルダー部は前記フック部の厚さよりも分厚く形成されており、当該ホルダー部の表裏を貫通して差込孔が形成されたものとするのが好適である。
前記フック部は、吊り下げの相手側とする相手側部材を取り巻くように囲み形成される枠体に対して前記相手側部材へ抜き差しするフック口が周方向の１／４周以下の開放幅で形成されており、前記フック部のフック口に正対する位置に前記ホルダー部が配置されており、前記ネック部は、前記フック部におけるフック口の片隅を起点として、当該フック口の幅中心と前記ホルダー部における差込孔の中心とを結んだ仮想線から外側へ偏心してホルダー部へ連結されたものとするのが好適である。
【発明の効果】
【０００７】
本発明に係るペット用遊具の保持具では、わざわざ飼い主等が付き添ったままとしなくても、ペット用遊具を有効に活用してペットのストレス発散や運動不足解消などを行えるものとし、また長続きさせることができる。
【図面の簡単な説明】
【０００８】
【図１】本発明に係るペット用遊具の保持具の使用例を示した斜視図である。
【図２】保持具の第１実施形態を示した斜視図である。
【図３】保持具の第１実施形態を示したものであって（Ａ）は正面図であり（Ｂ）は（Ａ）の右側面図である。
【図４】保持具の第２実施形態を示した斜視図である。
【図５】保持具の第２実施形態を示したものであって（Ａ）は正面図であり（Ｂ）は（Ａ）の右側面図である。
【発明を実施するための形態】
【０００９】
以下、本発明の実施の形態を、図面に基づき説明する。
図１乃至図３は、本発明に係る保持具１の第１実施形態を示している。図１に例示するように、この保持具１は、ドアノブ２がドア３から突出している軸部などを吊り下げの相手側部材として吊り下げるようになったもので、吊り下げ用のフック部５と、このフック部５から下方へ延出して設けられたネック部６と、このネック部６の下部に設けられたホルダー部７とを有している。
【００１０】
図２及び図３に示すように、フック部５は、相手側部材（ドアノブ２の軸部等）を取り巻くように囲み形成される枠体１０を有したものである。本第１実施形態では、枠体１０が略円環状（エンドレスではない）に形成されたものを示しており、この枠体１０において周方向の一部に、相手側部材へ抜き差しするためのフック口１１（エンドレスが切れている開放部分）が形成されている。
【００１１】
枠体１０は樹脂製とされており、樹脂素材が有する弾性により、枠内の開口大きさを大きく広げるように変形させることができる。また枠体１０は、枠内開口を広げるように変形させるのを止めたときには、元の開口大きさに弾性復元するようになっている。
枠体１０の開口大きさを広げていない状態において、フック口１１の開放幅Ｗは、枠体１０における周方向の１／４周以下となるように形成されている。すなわち、枠体１０の枠内開口に比べてフック口１１が狭く形成され、絞られるようになっている。この開放幅Ｗは、前記した相手側部材に素通りさせることのできるような寸法としてもよいが、この開放幅Ｗをある程度広げなければ（枠体１０の開口大きさを広げないと）相手側部材に差し込むことができないような寸法としておくのが好ましい。
【００１２】
ホルダー部７はフック部５の厚さよりも分厚く形成されており、このホルダー部７にはその表裏を貫通してするようにして差込孔１５が形成されている。この差込孔１５は、ペット用遊具１６（図１参照）が備える把持棒１７の基部を着脱自在な状態としつつ、嵌合可能にしたものである。
ホルダー部７がフック部５よりも分厚いことで、差込孔１５としての孔深さを所定長に確保し、ペット用遊具１６の把持棒１７との接触量を増やし、もってペット用遊具１６の安定した保持ができるようになっている。また、差込孔１５がホルダー部７を表裏貫通しているため、ホルダー部７として（即ち、保持具１の全体として）、表裏の使い分けが自由に選択できるようになっている。
【００１３】
なお、ペット用遊具１６としては、ペットがじゃれる小物１８を紐１９によって把持棒１７の先端に結び止めたものを図示してある。
ペット用遊具１６としての細部は何ら限定されるものではなく、例えば、小物１８を複数設けたり、紐１９をワイヤとしたりしたものを保持の対象とすることもできる。また、小物１８は、小動物や虫、植物を模造したものとしたり、ペットの好む香料を含ませた材質としたり、鈴などの音のでるものを内蔵させたりすることができる。把持棒１７についても、その断面形状が円形（線材等の小径のものを含む）、角形又は板状断面などをしたものについて対象とできる。
【００１４】
ネック部６は、フック部５のフック口１１に正対する位置にホルダー部７を配置させるようにして、フック部５とホルダー部７とを連結している。更に具体的に言えば、このネック部６は、フック部５におけるフック口１１の片隅を起点として、このフック口１１の幅中心（１／２Ｗの位置）と、ホルダー部７における差込孔１５の中心とを結んだ仮想線Ｓに対し、その外側（図３（Ａ）の右側）へ偏心するように、円弧カーブで湾曲形成されている。
【００１５】
このような配置でネック部６が設けられているため、フック部５を相手側部材へ差し込む際に、ネック部６が邪魔とならず、むしろネック部６がガイドとなってフック部５を相手側部材へ案内する（差し込みし易くする）といった利点が得られる。
なお、本第１実施形態では、フック部５において、ネック部６が設けられたのとは反対側となるフック口１１の片隅に、凸アールを有する滑り面２３を形成させてある。この滑り面２３により、相手側部材に対してフック部５を差し込みやすくガイドできる利点が得られる。
【００１６】
このような構成の保持具１では、相手側部材へフック部５を差し込んで吊り下げるようにし、ホルダー部７の差込孔１５へペット用遊具１６における把持棒１７の基部を差し込んでおく。これだけで、わざわざ飼い主等が付き添ったままとしなくても、ペット用遊具１６を有効に活用してペットのストレス発散や運動不足解消などを行えるものとなる。またペットのストレス発散や運動不足解消などを長続きさせることができる。
【００１７】
なお、飼い主等が通常の生活のなかでドア３を開閉したような場合や、ドア３に風が吹き付けた場合などでも（ペットを意識した行動をしなくても）、ペット用遊具１６の小物１８が揺れるようになるので、ペットに興味を惹起させることができる（一人遊びを誘発させる）という利点もある。
また、この保持具１では、ペット用遊具１６が振り子のウエイト的な作用を奏するようになり、フック部５がフック口１１を下向きにする姿勢が必然的に保持されるようになる。そのため、ペットの飛びつきなどにより、フック部５が相手側部材のまわりで強く揺すられるようになったとしても、相手側部材からホルダー部７が外れてしまうことがない。フック部５において、枠体１０に前記した弾性を持たせておけば、この外れ防止の作用は一層高くなり、好適なものとなる。
【００１８】
図４及び図５は、本発明に係る保持具１の第２実施形態を示している。この第２実施形態の保持具１が第１実施形態と最も異なるところは、フック部５に対してもホルダー部７が設けられている点にある。すなわち、ホルダー部７が複数設けられている。
フック部５に対して設けられたホルダー部７は、フック部５と同じ厚さで形成されている。そのため、フック部５を相手側部材に差し込むときに、このフック部５に設けられたホルダー部７が相手側部材と接触干渉して邪魔になる、ということはない。
【００１９】
本第２実施形態では、言うまでもなく、複数のホルダー部７に対して選択的にペット用遊具１６を保持させたり、或いは、複数のホルダー部７に対してそれぞれペット用遊具１６を保持させたりできるものである。そのため、使用方法として自由度が広がり、それだけペットを飽きさせない、という利点に繋がる。
その他の構成及び作用効果は第１実施形態と略同様であり、同一作用効果を奏する部位に同一符号を付することでここでの詳説は省略する。
【００２０】
ところで、本発明は、前記各実施形態に限定されるものではなく、実施の形態に応じて適宜変更可能である。
例えば、この保持具１は、ドアノブ２の軸部を相手側部材とすることが限定されるものではなく、机やテーブルの天板、棚板、家具などに設けられた手摺りやフックなど、フック部５を引っ掛けて吊り下げることが可能なものであれば、何ら限定されるものではない。言い換えれば、フック部５は、吊り下げの相手側部材に応じて細部の形状（吊り下げ易くするための形状）を適宜変更可能とするものである。
【００２１】
フック部５の枠体１０は、Ｃ型を呈するようにフック口１１を横向きに設けるようにしてもよい。またフック部５の枠体１０は、円環状に形成したものに限らず、角形に屈曲する形状に形成することも可能である。
ネック部６についても、円弧カーブで湾曲するものに限らず、角形に屈曲した形状や直線形状等として形成することが可能である。
【００２２】
ホルダー部７において、差込孔１５は必ずしも貫通孔とする必要はなく、突き当たりを有する閉塞孔としてもよい。またこの差込孔１５は、角孔やネジ孔、スプライン孔などとして形成し、ペット用遊具１６の把持棒１７に対する滑り止め作用やガタ防止作用を高めるようにしてもよい。
第１、第２実施形態では、いずれも、フック部５（枠体１０）の枠内開口とホルダー部７の差込孔１５とが、互いの軸心を平行させたものとして図示してあるが、これは樹脂成形をする場合などにおいて脱型を容易にするための措置である。但し、その他の成形方法を採用したり、フック部５とホルダー部７とを別部材の結合構造にしたりする場合であれば、フック部５の枠内開口と、ホルダー部７の差込孔１５とを必ずしも軸心平行の関係に設ける必要はない。例えば、ホルダー部７の差込孔１５を斜め上方へ傾けて形成することで、ペット用遊具１６を斜め上方向きに保持させるようなことも可能である。
【００２３】
保持具１としての形成素材は樹脂に限定されるものではなく、木材や金属などとしてもよい。
【符号の説明】
【００２４】
１    保持具
２    ドアノブ
３    ドア
５    フック部
６    ネック部
７    ホルダー部
１０    枠体
１１    フック口
１５    差込孔
１６    ペット用遊具
１７    把持棒
１８    小物
１９    紐
２３    滑り面
Ｓ    仮想線
Ｗ    開放幅
【図１】
0005832378.tif 000002
【図２】
0005832378.tif 000003
【図３】
0005832378.tif 000004
【図４】
0005832378.tif 000005
【図５】
0005832378.tif 000006